(57)【要約】【課題】プレスキャンや原稿サイズを検出するセンサを不要とし、原稿台に載置されている原稿の画像読取領域を適切に設定可能にする画像読取装置および画像読取領域設定方法を提供する。【解決手段】ファクシミリ送信が指令されているか否かを判別する（Ｓ１１０）。ＹＥＳのときは、予め利用者により指定された原稿サイズを取得する（Ｓ２１０）。ＮＯのときは、コピー（原稿の複写）が指令されているか否かを判別する（Ｓ１２０）。ＹＥＳのときは、記録媒体サイズを取得する処理を行う（Ｓ２２０）。ＮＯのときは、その他の処理の実行待ちとなる（Ｓ２３０）。そして、前記処理の過程で取得された原稿サイズあるいは記録媒体サイズに基づき原稿台の読取面の画像読取領域を設定する（Ｓ３００）。次に、ステップ３００において設定された画像読取領域に基づき原稿台に載置されてある原稿の画像を読み取る（Ｓ４００）。【選択図】図６
2004215178.tif 000002
【特許請求の範囲】
【請求項１】
原稿の画像を読み取って画像情報を形成する画像読取手段と、
前記画像読取手段により形成された前記画像情報を外部装置に出力する画像情報出力手段と、
前記画像読取手段により形成された前記画像情報に基づいて記録媒体上に画像を記録する画像記録手段と、
を備える画像読取装置であって、
前記原稿の原稿サイズを予め指定するための原稿サイズ指定手段と、
前記記録媒体の記録媒体サイズを取得する記録媒体サイズ取得手段と、
前記画像情報出力手段の動作時には、指定された前記原稿サイズに基づいて、前記画像読取手段の画像読取領域を設定し、前記画像記録手段の動作時には、前記記録媒体サイズ取得手段により取得された前記記録媒体サイズに基づいて、前記画像読取手段の画像読取領域を設定する画像読取領域設定手段と、
を備えることを特徴とする画像読取装置。
【請求項２】
請求項１に記載の画像読取装置において、
原稿が載置される原稿台を備え、前記画像読取手段は、前記原稿台に載置されている原稿の画像を読み取ることを特徴とする画像読取装置。
【請求項３】
請求項１または請求項２に記載の画像読取装置において、
前記画像情報出力手段は、通信線を介して前記外部装置に前記画像情報を出力するための通信手段を備えることを特徴とする画像読取装置。
【請求項４】
請求項１から請求項３の何れかに記載の画像読取装置において、
前記記録媒体サイズを入力するための入力手段を備え、前記記録媒体サイズ取得手段は、前記入力手段を介して前記記録媒体サイズを取得することを特徴とする画像読取装置。
【請求項５】
請求項１から請求項３の何れかに記載の画像読取装置において、
前記記録媒体サイズを検出する検出手段を備え、前記記録媒体サイズ取得手段は、前記検出手段を介して前記記録媒体サイズを取得することを特徴とする画像読取装置。
【請求項６】
原稿の画像を読み取って画像情報を形成する画像読取手段と、前記画像読取手段により形成された前記画像情報を外部装置に出力する画像情報出力手段と、前記画像読取手段により形成された前記画像情報に基づいて記録媒体上に画像を記録する画像記録手段と、を備える画像読取装置において、前記画像読取手段の画像読取領域を設定する画像読取領域設定方法であって、
前記画像情報出力手段の動作時には、指定された前記原稿サイズに基づいて、前記画像読取手段の画像読取領域を設定し、前記画像記録手段の動作時には、前記記録媒体の記録媒体サイズに基づいて、前記画像読取手段の画像読取領域を設定することを特徴とする画像読取領域設定方法。
【発明の詳細な説明】
【０００１】
【発明の属する技術分野】
本発明は、原稿から画像を読み取る画像読取装置、および、画像読取装置の画像の読取領域を設定する画像読取領域設定方法に関する。
【０００２】
【従来の技術】
従来、原稿台を備え、コピー機能を有するファクシミリ装置は、原稿台に載置されている原稿の画像をファクシミリ送信する場合は、プレスキャンを行うか、原稿サイズ検出用のセンサを設けて原稿サイズを検出し、検出した原稿サイズに基づいて画像を読み取っていた。
【０００３】
しかし、そのようなファクシミリ装置は、プレスキャンにより原稿サイズを検出し、その後に画像を読み取るので時間が掛かってしまう。また、プレスキャンを行わない場合は、原稿サイズ検出用のセンサが必要となり、コストが高くなってしまう。そのようなことから、プレスキャン等による原稿サイズの検出をせず、原稿台の読取面すべてを読取走査し、原稿の画像を迅速に読み取る、安価で簡単な構造のファクシミリ装置が提供されている。尚、このファクシミリ装置の先行技術文献を挙げることはできないが、実際の製品としては、本願出願人が製造、販売している多機能装置（ＭＦＣ−９７００、９８００）を挙げることができる。
【０００４】
【発明が解決しようとする課題】
ところが近年、利用者の要望により原稿台に載置できる原稿の原稿サイズがリーガルサイズとなり、原稿台の読取面が大型化している。しかも、レターサイズとリーガルサイズのその原稿サイズは、幅が同一であり、長さが異なるのみである。
【０００５】
そのため、上述の原稿台の読取面すべてを読取走査するファクシミリ装置において、レターサイズ等の原稿台の読取面より狭いサイズの原稿をファクシミリ送信する際、原稿のサイズより広い領域の不要な画像まで読み取ってしまう問題があった。また、その画像を受信したファクシミリ装置においては、受信した画像全体が縮小され、見えにくくなってしまうといった問題があった。
【０００６】
本発明は、上記問題を解決するためになされたもので、プレスキャン等の原稿サイズの検知を不要とし、原稿台に載置されている原稿の画像読取領域を適切に設定可能にする画像読取装置および画像読取領域設定方法を提供することを目的とする。
【０００７】
【課題を解決するための手段および発明の効果】
かかる課題を解決するためになされた請求項１に記載の発明は、原稿の画像を読み取って画像情報を形成する画像読取手段と、その画像読取手段により形成された画像情報を外部装置に出力する画像情報出力手段と、画像読取手段により形成された画像情報に基づいて記録媒体上に画像を記録する画像記録手段と、を備える画像読取装置であって、原稿の原稿サイズを予め指定するための原稿サイズ指定手段と、記録媒体の記録媒体サイズを取得する記録媒体サイズ取得手段と、画像情報出力手段の動作時には、指定された原稿サイズに基づいて、画像読取手段の画像読取領域を設定し、画像記録手段の動作時には、記録媒体サイズ取得手段により取得された記録媒体サイズに基づいて、画像読取手段の画像読取領域を設定する画像読取領域設定手段と、を備えることを特徴としている。
【０００８】
請求項１に記載の画像読取装置によれば、画像情報を外部装置へ出力する場合には、予め利用者により指定された原稿サイズに基づいて、画像読取領域が設定される。したがって、原稿のサイズを検出するセンサを備えていなくとも原稿サイズより広い領域の画像を読み取ってしまったり、原稿サイズより狭い領域の画像を読み取ってしまうことを防止することができる。また、画像を記録媒体に形成する場合には、記録媒体サイズ取得手段により取得された記録媒体サイズに基づいて、画像読取領域が設定される。したがって、記録媒体サイズより広い領域の画像を読み取ってしまったり、記録媒体サイズより狭い領域の画像を読み取ってしまうことを防止することができる。
【０００９】
請求項２に記載の画像読取装置は、原稿が載置される原稿台を備え、画像読取手段により原稿台に載置されている原稿の画像を読み取る構成にされている。
請求項２に記載の画像読取装置によれば、原稿台に載置されている原稿の画像を外部装置へ出力する場合において、原稿のサイズより広い領域の不要な画像まで読み取ってしまうことがない。また、従来行われていた原稿サイズを検出するためのプレスキャンも不要であるため、画像を読み取るのに時間が掛からない。このように、簡単で安価な構造でありながら、原稿台に載置されている原稿の画像を迅速、かつ、適切に読み取ることができるようになる。
【００１０】
また、請求項１または請求項２に記載の画像読取装置において、画像情報出力手段を請求項３に記載のように、通信線を介して外部装置に画像情報を出力するための通信手段を備える構成にすれば、電話回線網または通信ケーブルを用いて原稿の画像情報を通信することができる。通信により画像を送信する場合、指定された原稿サイズに基づき画像情報を読み取り、その画像情報を送信するので、外部装置で画像を形成した際、画像に不要な空白が含まれたり、画像が途中で切れてしまうことがない。
【００１１】
請求項１から請求項３に記載の画像読取装置は、請求項４に記載のように、記録媒体サイズを入力するための入力手段を備え、記録媒体サイズ取得手段は、入力手段を介して記録媒体サイズを取得する構成にすることができる。あるいは、請求項５に記載のように、記録媒体サイズを検出する検出手段を備え、記録媒体サイズ取得手段は、検出手段を介して記録媒体サイズを取得する構成にすることができる。
【００１２】
請求項４に記載の画像読取装置によれば、入力手段を介して記録媒体サイズを任意に指定できることから、指定された記録媒体サイズより広い領域の不要な画像の読み取りを防止することができる。一方、請求項５に記載の画像読取装置によれば、検出手段を介して記録媒体サイズを取得できることから、取得された記録媒体サイズより広い領域の不要な画像の読み取りを防止することができる。また、請求項５に記載の画像読取装置は、検出手段により記録媒体サイズが検出されるので、請求項４に記載の画像読取装置のように入力手段を介して記録媒体サイズを指定する必要がないので、操作性を向上させることができる。
【００１３】
請求項６に記載の発明は、原稿の画像を読み取って画像情報を形成する画像読取手段と、画像読取手段により形成された画像情報を外部装置に出力する画像情報出力手段と、画像読取手段により形成された画像情報に基づいて記録媒体上に画像を記録する画像記録手段と、を備える画像読取装置において、画像読取手段の画像読取領域を設定する画像読取領域設定方法であって、画像情報出力手段の動作時には、指定された前記原稿サイズに基づいて、画像読取手段の画像読取領域を設定し、画像記録手段の動作時には、記録媒体の記録媒体サイズに基づいて、画像読取手段の画像読取領域を設定することを特徴としている。
【００１４】
請求項６に記載の画像読取領域設定方法によれば、画像情報を外部装置へ出力する場合には、指定された原稿サイズに基づいて、画像読取領域が設定される。したがって、原稿サイズより広い領域の画像を読み取ってしまったり、原稿サイズより狭い領域の画像を読み取ってしまうことを防止することができる。また、画像を記録媒体に形成する場合には、記録媒体サイズ取得手段により取得された記録媒体サイズに基づいて、画像読取領域が設定される。したがって、記録媒体サイズより広い領域の画像を読み取ってしまったり、記録媒体サイズより狭い領域の画像を読み取ってしまうことを防止することができる。
【００１５】
【発明の実施の形態】
以下に本発明にかかる実施の形態を図面と共に説明する。
本実施形態は、プリンタ機能、コピー機能、およびスキャナ機能を備えたファクシミリ装置１に本発明を適用した場合の一例であり、このファクシミリ装置１の全体構成を、図１を用いて説明する。図１はファクシミリ装置１の斜視図である。
【００１６】
図１に示すように、ファクシミリ装置１は、ファクシミリ装置１の下部に位置するプリンタ部２と、ファクシミリ装置１の上部に位置するスキャナ部３と、ファクシミリ装置１の背面側に位置する給紙装置（図示省略）と、が組み込まれた構造になっている。また、ファクシミリ装置１の正面側の上部には、ＬＣＤ２７４および操作キー２７０を備えた操作パネル２７が設けられており、ファクシミリ装置１の正面側の下部には引出式の排紙トレイ１２が格納されている。
【００１７】
給紙装置は、記録紙を傾斜姿勢に保持する傾斜壁部１３を備えており、複数枚の記録紙を蓄積することができる。傾斜壁部１３には、給紙モータ（図示省略）や給紙ローラ（図示省略）などが内蔵されており、給紙モータの駆動力により給紙ローラが回転すると、回転する給紙ローラが、記録紙をプリンタ部２に向けて送出する。プリンタ部２によって画像が形成された記録紙は、ファクシミリ装置１正面側にある排出口１４から排出されるように構成されており、必要に応じて排紙トレイ１２を引出して、排出口１４から排出される記録紙を受けることができる。
【００１８】
また、ファクシミリ装置１の上部には、ファクシミリ装置１の後方に配置されたヒンジ部１０（図２参照。図１では図示省略）を支点にして、上方へ回動する原稿台カバー１５が備えられている。
次に、スキャナ部３について図２を用いて説明する。図２はファクシミリ装置１の原稿台カバー１５を開いた状態を示す斜視図である。
【００１９】
図２において、スキャナ部３はフラットベッド型のものであり、ライン型ＣＣＤユニット３２によって、原稿台４に設けられたプラテンガラス２６上に載置された原稿から画像を読み取るように構成されている。
また、このＣＣＤユニット３２の一端側は、ガイド軸２８に貫通されると共に、他端側は、ガイドレール（図示省略）に乗せられることにより支持されており、駆動モータ（図示省略）がギヤ機構（図示省略）を介してベルト２９を駆動させることによって、ベルト２９と連動するＣＣＤユニット３２がプラテンガラス２６に沿って移動する。
【００２０】
更に、原稿台カバー１５上部左端側には、複数枚の原稿から画像を順に読み取るためのＡＤＦ（Ａｕｔｏ  Ｄｏｃｕｍｅｎｔ  Ｆｅｅｄｅｒ）機構１６（図１参照）が設けられている。ＡＤＦ機構１６は、上述のＣＣＤユニット３２を移動させずに、原稿供給トレイ１８から１枚ずつ原稿を取り込んで、原稿台カバー１５を閉じた際にＣＣＤユニット３２の上方に位置する原稿通過部３０に通過させ、そこで原稿から画像を読み取って原稿排紙トレイ１７に原稿を排出するものである。
【００２１】
尚、原稿台４のプラテンガラス２６の左側には、脱着自在なメンテナンスカバー３１が設けられており、このメンテナンスカバー３１を外すことにより、掃除や部品交換を容易にすることができる。
次に、このファクシミリ装置１の内部構成を、図３を用いて説明する。図３は、ファクシミリ装置１の内部構成を示すブロック図である。
【００２２】
ファクシミリ装置１は、主に、ＣＰＵ３９、ＲＯＭ８１、ＲＡＭ８３、プリンタ制御部３７、スキャナ制御部３５、符号器８５、復号器８７、操作キー２７０、ＬＣＤ２７４、モデム８９、回線制御部５３、ＰＣＩ／Ｆ（ＰＣインターフェース）２４を備えており、夫々はバス９５を介して接続されている。
【００２３】
ＣＰＵ３９は、本装置の制御の中枢を担っており、装置全体を統括制御する構成にされている。例えば、ＣＰＵ３９は、ＲＯＭ８１内に予め記憶された制御処理用のプログラムを読み出し、そのプログラムに従って、原稿画像の読取や、ファクシミリデータの送受信や、コピー（原稿の複写）等の処理を実行する。
【００２４】
尚、ＲＯＭ８１内には、ファクシミリ装置１として動作させるために必要なファクシミリ機能用プログラム群が記憶されている。また、画像を記録紙に印刷するプリンタとして動作させるために必要なプリンタ機能用プログラム群が記憶されている。この他、ＲＯＭ８１内には、上記プログラム等で呼び出されるプリンタ制御用プログラムや、設定モードプログラムや、これら各プログラムを実行するのに必要な各種データが予め記憶されている。
【００２５】
一方、ＲＡＭ８３は、各種制御を行う際に必要なワークメモリや、その他各種情報等が記憶されるようになっている。
スキャナ制御部３５は、ファクシミリデータの送信やコピー（原稿の複写）等の際に、画像を読み取るためのものである。スキャナ制御部３５は、スキャナ部３にて画像を読み取り、読み取り結果としてのイメージデータを符号器８５などに出力する構成にされている。
【００２６】
尚、このように、画像を読み取るために用いられるスキャナ制御部３５、および、スキャナ部３は、本発明の画像読取手段に相当する。
また、符号器８５は、スキャナ制御部３５から出力されたイメージデータをファックスフォーマットであるＧ３圧縮形式のイメージデータにするために、符号化処理を実行し、その処理後のイメージデータを出力する構成にされている。一方、復号器８７は、ファックスフォーマットのイメージデータを復号化して、プリンタ制御部３７にて処理可能な印刷用のイメージデータに変換する構成にされている。
【００２７】
プリンタ制御部３７は、画像を記録紙等に印刷するためのものである。プリンタ制御部３７は、プリンタ部２にて記録紙上に複数色のトナーの組合せ、多色カラーの画像を形成する。
尚、このように、画像を記録紙上に印刷するために用いられるプリンタ制御部３７、および、プリンタ部２は、本発明の画像記録手段に相当する。
【００２８】
モデム８９は、回線制御部５３を介して電話回線網に接続された外部のファクシミリ装置との間でファクシミリデータの送受信を行うためのものである。回線制御部５３は、電話回線網に対するダイヤル信号の送出や、電話回線網からの呼出信号に対する応答等の動作を行うものであり、例えば、電話回線網を介して自身を外部のファクシミリ装置に通信可能に接続する。
【００２９】
一方、ＰＣＩ／Ｆ２４は、ＰＣ（パーソナルコンピュータ）と当該ファクシミリ装置１とを接続するときに用いられるものであり、ＰＣからの印刷データ等を受信したり、また、スキャナ部３にて画像を読み取り、スキャナ制御部３５から出力された読み取り結果としてのイメージデータをＰＣへ送信したりする。
【００３０】
尚、このように、電話回線網に接続された外部のファクシミリ装置との間でファクシミリデータの送受信を行うために用いられる回線制御部５３、および、モデム８９と、ＰＣと接続するときに用いられるＰＣＩ／Ｆ２４は、本発明の検出手段を備える画像情報出力手段に相当する。
【００３１】
操作キー２７０は、利用者の操作に従って、各種処理操作を行うための指令信号を装置内に入力する構成にされている。
ＬＣＤ２７４は、利用者に操作手順を案内するメッセージやエラーメッセージ等の各種メッセージ等を表示するための表示手段として設けられている。また、各種機能の設定情報を表示することができる。
【００３２】
次に、操作パネル２７について、図４を用いて説明する。図４は、操作パネル２７の構成を示す外観図である。
操作パネル２７上には、操作キー２７０およびＬＣＤ２７４が設けられている。操作キー２７０は、メニューボタン２７７、上下、左右の４方向指定ボタンからなる方向ボタン２７５、ダイヤルボタン２７１、停止／終了ボタン２７３、ファックススタートボタン２７２、コピーボタン２７６等から構成されている。
【００３３】
当該ファクシミリ装置１は、ＲＯＭ８１内に各種機能を設定するための設定モードプログラムが予め記憶されている。ＣＰＵ３９は、その設定モードプログラムを読み出し、そのプログラムに従って、各種機能を設定する処理を実行し、利用者は、操作キー２７０を操作することにより、設定モードにおいて各種機能を設定することができる。この設定モードについて、図５を用いて説明する。図５は、設定モードの階層を示す説明図である。
【００３４】
設定モードは、メインメニュー、サブメニュー、メニュー選択、および、各種機能が設定される選択項目が階層化されている。
設定モードの設定操作は、次のように行われる。まず、メニューボタン２７７の押下により設定モードのメインメニューの項目がＬＣＤ２７４に表示される。ＬＣＤ２７４に表示されているメインメニューの項目は、方向ボタン２７５の上下方向ボタンの押下操作によりスクロールすることができ、方向ボタン２７５の右ボタンまたはメニューボタン２７７の押下により選択することができる。または、メインメニューの項目の番号をダイヤルボタン２７１で入力することでも選択することができる。メインメニューの項目を選択すると、次に、ＬＣＤ２７４にサブメニューの項目が表示され、サブメニューの項目を選択することができるようになる。サブメニューの項目の選択は、メインメニューの項目の選択と同様に、方向ボタン２７５の右ボタン、メニューボタン２７７、ダイヤルボタン２７１の押下で選択することができる。メインメニューに戻るときには、方向ボタン２７５の左ボタンの押下によりメインメニューに戻ることができる。以下、サブメニュー、メニュー選択、選択項目の各階層においても、同様の操作キー２７０の操作手順により選択、設定を行うことができる。そして、選択項目において、機能が設定されると、ＬＣＤ２７４に機能が設定されたことが表示される。また、停止／終了ボタン２７３の押下により設定モードを終了することができる。
【００３５】
上述の設定モードにおいて、上述の操作キー２７０の操作に従い、原稿サイズおよび記録媒体サイズを設定することができる。
原稿サイズの設定は、次のように行われる。設定モードにおいて、メインメニューで「ＦＡＸ」を選択、サブメニューで「原稿サイズ」を選択、選択項目で「レター／Ａ４」あるいは「リーガル」のどちらかを指定する。そうすると、サブメニューで選択された「原稿サイズ」の原稿サイズがＲＡＭ８３に記憶され、原稿サイズの設定が完了する。
【００３６】
一方、記録媒体サイズの設定は、次のように行われる。設定モードにおいて、メインメニューで「ＧＥＮＥＲＡＬ」を選択、サブメニューで「紙サイズ」を選択、メニュー選択で「トレイ１」および「トレイ２」を選択し、選択項目で「Ａ４」あるいは「レター」あるいは「リーガル」の何れかの記録媒体サイズを指定する。そうすると、メニュー選択で選択された「トレイ１」および「トレイ２」の記録媒体サイズがＲＡＭ８３に記憶され、記録媒体サイズの設定が完了する。
【００３７】
そして、メインメニューで「ＧＥＮＥＲＡＬ」を選択、サブメニューで「トレイ選択（Ｃｏｐｙ）」を選択、選択項目で「Ａｕｔｏ」あるいは「トレイ１固定」あるいは「トレイ２固定」の何れかを指定する。そうすると、サブメニューで選択された「トレイ選択（Ｃｏｐｙ）」のトレイ情報がＲＡＭ８３に記憶され、トレイ情報の設定が完了する。
【００３８】
尚、このように、原稿サイズ、および、記録媒体サイズを設定するために用いられる操作キー２７０は、本発明の原稿サイズ指定手段、および、入力手段に相当する。
次に、ＣＰＵ３９に実行される画像読取処理について、図６、および、図７を用いて説明する。図６、および、図７は、ファクシミリ送信、または、コピー（原稿の複写）の指定を、利用者がファクシミリスタートボタン２７２、または、コピーボタン２７６の押下により行うことにより、スキャナ部３を制御して、原稿画像の読み取りを行わせる画像読取処理を示すフローチャートである。
【００３９】
この画像読取処理を実行するためのプログラムは、ＲＯＭ８１に記憶されてあり、ＣＰＵ３９によって実行される。
ＣＰＵ３９は、まず、ファクシミリ装置１の動作機能としてファクシミリ送信が指令されているか否かを判別する（Ｓ１１０）。ファクシミリ送信の指令は、利用者のファクシミリスタートボタン２７２の押下により入力される。Ｓ１１０において、ＹＥＳのときは、設定モードのメインメニュー「ＦＡＸ」、サブメニュー「原稿サイズ」の選択項目において利用者に予め指定され、ＲＡＭ８３に記憶されている原稿サイズを取得する。
【００４０】
一方、Ｓ１１０において、ＮＯのときは、ファクシミリ装置１の動作機能としてコピー（原稿の複写）が指令されているか否かを判別する（Ｓ１２０）。コピー（原稿の複写）の指令は、利用者のコピーボタン２７６の押下により入力される。Ｓ１２０において、ＹＥＳのときは、画像が形成される記録媒体の記録媒体サイズを取得する処理を行う（Ｓ２２０）。一方、Ｓ１２０において、ＮＯのときは、ファクシミリ装置１の動作機能として、ファクシミリ送信およびコピー（原稿の複写）がともに指令されていないので、その他の処理の実行待ちとなる（Ｓ２３０）。
【００４１】
Ｓ２２０は、詳細には、図５のようなフローチャートで示される。Ｓ２２０においてＣＰＵ３９は、まず、設定モードのメインメニュー「ＧＥＮＥＲＡＬ」、サブメニュー「トレイ選択（Ｃｏｐｙ）」、の選択項目において利用者に指定され、ＲＡＭ８３に記憶されているトレイ情報を取得し、トレイ情報が「Ａｕｔｏ」であるか否かを判別する（Ｓ２２１）。ＹＥＳのときは、記録媒体サイズを検出し、記録媒体サイズを取得する（Ｓ２２４）。
【００４２】
一方、Ｓ２２１において、ＮＯのときは、設定モードのメインメニュー「ＧＥＮＥＲＡＬ」、サブメニュー「トレイ選択（Ｃｏｐｙ）」、の選択項目において利用者に指定され、ＲＡＭ８３に記憶されているトレイ情報を取得し、トレイ情報が「トレイ１固定」であるか否かを判別する（Ｓ２２２）。ＹＥＳのときは、設定モードのメインメニュー「ＧＥＮＥＲＡＬ」、サブメニュー「紙サイズ」、メニュー選択「トレイ１」の選択項目において利用者に指定され、ＲＡＭ８３に記憶されている「トレイ１」の記録媒体サイズを取得する（Ｓ２２５）。
【００４３】
一方、Ｓ２２２において、ＮＯのときは、設定モードのメインメニュー「ＧＥＮＥＲＡＬ」、サブメニュー「トレイ選択（Ｃｏｐｙ）」の選択項目において利用者に指定され、ＲＡＭ８３に記憶されているトレイ情報を取得し、トレイ情報が「トレイ２固定」であるか否かを判別する（Ｓ２２３）。ＹＥＳのときは、設定モードのメインメニュー「ＧＥＮＥＲＡＬ」、サブメニュー「紙サイズ」、メニュー選択「トレイ２」の選択項目において利用者に指定され、ＲＡＭ８３に記憶されている「トレイ２」の記録媒体サイズを取得する（Ｓ２２６）。
【００４４】
一方、Ｓ２２３において、ＮＯのときは、「トレイ選択（Ｃｏｐｙ）」のトレイ情報の指定待ちとなる（Ｓ２２７）。
ＣＰＵ３９は、次に、上述の処理の過程で取得された原稿サイズあるいは記録媒体サイズに基づき、原稿台４の読取面の画像読取領域を設定する（Ｓ３００）。
【００４５】
そして、ＣＰＵ３９は、次に、Ｓ３００において設定された画像読取領域に基づいて、原稿台４に載置されてある原稿の画像を読み取る処理をスキャナ制御部３５に行わせる（Ｓ４００）。
尚、上述の画像読取処理において、記録媒体サイズを検出し、記録媒体サイズを取得する処理（Ｓ２２４）は、本発明の検出手段に相当し、記録媒体サイズを取得する処理（Ｓ２２０）は、本発明の記録媒体サイズ取得手段に相当し、画像読取処理の過程で取得された原稿サイズあるいは記録媒体サイズに基づき、原稿台４の読取面の画像読取領域を設定する処理（Ｓ３００）は、本発明の画像読取領域設定手段に相当する。
【００４６】
図８は、上述の画像読取処理において設定される画像読取領域を示す説明図である。外枠３００は、原稿が載置される原稿台４の読取面の最大読取可能領域を示す。レター枠３０１、Ａ４枠３０２、リーガル枠３０３は、設定された原稿台４の読取面の画像読取領域である。マーク３０４は原稿合わせマークを示し、原稿台４上に設けられている。このマーク３０４を基準一として原稿を原稿台４に載置したとき、上述の画像読取処理において設定される画像読取領域に基づいて適切な原稿の画像を読み取ることができる。
【００４７】
上述の画像読取処理を行うことにより、ファクシミリ装置１において、ファクシミリ送信のときは、設定モードにおいて利用者に指定された原稿サイズに基づき、原稿台４の読取面の画像読取領域が設定され、原稿台４に載置された原稿の画像をスキャナ部３にて画像を読み取り、スキャナ制御部３５によって読み取り結果としてのイメージデータを符号器８５に出力する。符号器８５は、スキャナ制御部３５から出力されたイメージデータをファックスフォーマットのイメージデータにするために、符号化処理を実行し、その処理後のイメージデータを出力する。そして、モデム８９は、回線制御部５３を介して電話回線網に接続された外部のファクシミリ装置との間でファクシミリデータの送信を行う。
【００４８】
一方、コピー（原稿の複写）のときは、設定モードにおいて利用者に指定された記録媒体サイズに基づき、原稿台４の読取面の画像読取領域が設定され、スキャナ部３にて原稿台４に載置された原稿の画像を読み取り、スキャナ制御部３５にて読み取り結果としてのイメージデータを出力する。プリンタ制御部３７は、スキャナ制御部３５から出力されたイメージデータを受け、プリンタ部２にて記録紙に画像を形成する。
【００４９】
本実施形態によれば、ファクシミリ送信時は、原稿サイズより広い領域の画像を読み取ってしまったり、原稿サイズより狭い領域の画像を読み取ってしまうことを防止することができる。また、受信側のファクシミリ装置で画像を形成した際、画像に不要な空白が含まれたり、画像が途中で切れてしまうことがない。また、原稿サイズを検出しなくとも、予め利用者により指定された原稿サイズに基づき原稿の画像を読み取ることができるようになる。したがって、原稿サイズを検出するためのプレスキャンが不要となるので、原稿を読み取る時間の短縮を図ることができる。また、原稿サイズを検出するセンサも不要となり、スキャナ部３を簡略化できる。
【００５０】
一方、コピー（原稿の複写）時は、記録媒体サイズより広い領域の画像を読み取ってしまったり、記録媒体サイズより狭い領域の画像を読み取ってしまうことを防止することができる。
また、あらかじめ利用者が原稿サイズおよび記録媒体サイズを指定し、原稿サイズ、および、記録媒体サイズを設定しておくことができるので、ファクシミリ送信、または、コピー（原稿の複写）の指定を、利用者がファクシミリスタートボタン２７２、または、コピーボタン２７６の押下により行うことにより、ファクシミリ装置１は、画像読取領域を切り替え、それぞれの動作機能に見合った画像の読み取りを行うことができる。
【００５１】
本実施形態において、画像読取領域を設定するために指定することができる原稿サイズおよび記録媒体サイズは、Ａ４サイズ、レターサイズ、リーガルサイズとなっているが、必ずしもこれらのサイズに限定されるものではなく、原稿台の最大読取可能領域を越えないサイズで、選択項目にその他、様様なサイズ項目を加えることは可能である。
【００５２】
本発明の実施形態は、以上の実施形態に何ら限定されるものではなく、本発明の技術的範囲に属する限り種々の形態を採り得ることはいうまでもない。
例えば、上記実施形態において、ファクシミリ送信と複写とに応じて原稿読取領域を変更する例を説明しているが、ファクシミリ送信に代えて、ＰＣへのイメージデータの送信であってもよい。上述した通り、ファクシミリ装置１はＰＣＩ／Ｆ２４を備えており、このＰＣＩ／Ｆ２４を介して外部のＰＣに画像データ（イメージデータ）を送信することができる。したがって、外部のＰＣに画像データ（イメージデータ）を送信するときと、複写とに応じて原稿読取領域を変更するようにしてもよい。
【００５３】
具体的には、利用者は、まず、図５のメインメニューで、例えば、「ＰＣへの画像送信」を選択した後、「２．ＦＡＸ」のときと同様にサブメニューで「１．原稿サイズ」を選択し、その後、選択項目で「レター／Ａ４」か「リーガル」を選択しておく。次に、図６のフローチャートのＳ１１０において、ＰＣ等に画像データを送信するために原稿を読み取るスキャナ処理か否かを判断し、ファクシミリ装置１に指示された動作がそのスキャナ処理である場合には（Ｓ１１０：Ｙｅｓ）、ファクシミリ送信の時と同様に、利用者に予め設定されてＲＡＭ８３に記憶されている原稿サイズを取得し（Ｓ２１０）、その原稿サイズに基づいて、原稿台４の読取面の画像読取領域を設定すればよい（Ｓ３００）。さらに、ＣＰＵ３９が、Ｓ３００において設定された画像読取領域に基づいて、原稿台４に載置されている原稿の画像を読み取る処理をスキャナ制御部３５に行わせ（Ｓ４００）、読み取った画像データをＰＣＩ／Ｆ２４を介して外部のＰＣへと送信すればよい。
【００５４】
即ち、本発明は、プリンタ部２を動作させるスキャナ処理と、プリンタ部２を動作させないスキャナ処理とで、原稿の画像読取領域を設定する基準を、記録がなされるべき記録媒体のサイズとするのか、指定された原稿のサイズとするのかを変更するのである。
【図面の簡単な説明】
【図１】本実施形態にかかるファクシミリ装置１の全体構成を示す斜視図である。
【図２】ファクシミリ装置１の原稿台カバー１５を開いた状態を示す斜視図である
【図３】ファクシミリ装置１の内部構成を示すブロック図である。
【図４】操作パネル２７の構成を示す外観図である。
【図５】各種機能を設定する設定モードの階層を示す説明図である。
【図６】画像読取処理を示すフローチャートである。
【図７】画像読取処理を示すフローチャートである。
【図８】画像読取処理において設定される画像読取領域を示す説明図である。
【符号の説明】
１…ファクシミリ装置、２…プリンタ部、３…スキャナ部、４…原稿台、１０…ヒンジ部、１２…排紙トレイ、１３…傾斜壁部、１４…排出口、１５…原稿台カバー、１６…ＡＤＦ機構、１７…原稿供給トレイ、１８…原稿排出トレイ、２６…プラテンガラス、２７…操作パネル、２８…ガイド軸、２９…ベルト、３０…原稿通過部、３１…メンテナンスカバー、３２…ＣＣＤユニット、５３…回線制御部、３７…プリンタ制御部、３５…スキャナ制御部、３９…ＣＰＵ、８１…ＲＯＭ、８３…ＲＡＭ、２７０…操作キー、２７４…ＬＣＤ、８９…モデム、８５…符号器、８７…復号器、２４…ＰＣ  Ｉ／Ｆ、２７７…メニューボタン２、２７５…方向ボタン、２７１…ダイヤルボタン、２７３…停止／終了ボタン、２７２…ファックススタートボタン、２７６…コピーボタン、３００…外枠、３０１…レター枠、３０２…Ａ４枠、３０３…リーガル枠、３０４…マーク
【図１】
2004215178.tif 000003
【図２】
2004215178.tif 000004
【図３】
2004215178.tif 000005
【図４】
2004215178.tif 000006
【図５】
2004215178.tif 000007
【図６】
2004215178.tif 000008
【図７】
2004215178.tif 000009
【図８】
2004215178.tif 000010